(57)【要約】  送信者から受信者への、宣伝用メッセージのターゲット化された配信の為のシステム及び方法が、開示される。該システムは、複数の宣伝用メッセージへのウェブサイト提供アクセスを含み、且つ、送信者が宣伝用ターゲティングレコードのセットを作成することを可能にする、ウェブベースのユーザーインターフェースを含む。宣伝用ターゲティングレコードは、送信者の通信識別子、標的化した送信先の通信識別子、及び選択した宣伝用メッセージを含む。作成した宣伝用ターゲティングレコードは、データベースに保存される。送信者から受信者への通信伝達の後、システムアプリケーションソフトウェアは、送信者及び受信者の通信識別子を得るため；送信者及び受信者の通信識別子を一致させつつ、宣伝用ターゲティングレコードを識別するためのデータベースを探索するため；及び、そのような宣伝用ターゲティングレコードを識別した後、データベースから検索し、受信者に、識別した宣伝用ターゲティングレコードに関連する宣伝用メッセージを配信するために、使用される。【選択図】図１
2015510184.tif 000002
【特許請求の範囲】
【請求項１】
ソース通信識別子に関連した送信者から、独特な通信データ受信リソースを識別する送信先通信識別子に関連した受信者への、通信ネットワーク上での宣伝用メッセージの配信のためのシステムであって、該システムは：
通信ネットワークを介してアクセス可能なウェブサイトを維持する少なくとも１つのコンピューティングデバイスであって、該ウェブサイトは、複数の宣伝用メッセージへのアクセスを提供し、且つ、送信者が１セットの宣伝用ターゲティングレコードを作成、閲覧、及び変更することを可能にするウェブベースのユーザーインターフェースを含み、各宣伝用ターゲティングレコードは、ソース通信識別子に等しい値のセットを有するソース識別子フィールド、ターゲットの送信先通信識別子に等しい値のセットを有する送信先識別子フィールド、及び複数の宣伝用メッセージからの宣伝用メッセージを含む、少なくとも１つのコンピューティングデバイス；
送信者によって作成された、１セットの宣伝用ターゲティングレコードに現在存在する宣伝用ターゲティングレコードを保存するデータベース；及び
以下の工程：
送信者と受信者の間の通信伝達を遮断する工程；
送信者に関連したソース通信識別子、及び受信者に関連した送信先通信識別子を獲得する工程；
ロジック条件のセットを満たす、少なくとも１つの宣伝用ターゲティングレコードを識別するためのデータベースを探索する工程であって、前記ロジック条件のセットは、以下のロジック条件：
識別された少なくとも１つの宣伝用ターゲティングレコードにおけるソース識別子フィールドの値が、得られたソース通信識別子に等しい、及び
識別された少なくとも１つの宣伝用ターゲティングレコードにおける送信先識別子フィールドの値が、得られた送信先通信識別子に等しい
を含む、工程；
遮断した通信伝達を、得られた送信先通信識別子によって識別される通信データ受信リソースに配信する工程；及び
データベースから検索し、前記ロジック条件のセットを満たす少なくとも１つの宣伝用ターゲティングレコードを識別した後に、識別された少なくとも１つの宣伝用ターゲティングレコードに関連する宣伝用メッセージを、得られた送信先通信識別子により識別される通信データ受信リソースに配信する工程
を含む方法を行なうためのアプリケーションソフトウェア
を含む、システム。
【請求項２】
配信された宣伝用メッセージは、送信者に配信される紹介報酬要素を更に含むことを特徴とする、請求項１に記載のシステム。
【請求項３】
配信された宣伝用メッセージは、受信者が配信された宣伝用メッセージに含まれるプロモーションオファーの回収の証拠を提供した後に受信者に配信されるリベート報酬要素を含むプロモーションオファーを、更に含むことを特徴とする、請求項２に記載のシステム。
【請求項４】
紹介報酬要素を送信者に配信する工程は、受信者が配信された宣伝用メッセージに含まれるプロモーションオファーの回収の証拠を提供した後に付随することを特徴とする、請求項３に記載のシステム。
【請求項５】
ウェブサイトは、配信された宣伝用メッセージに含まれるプロモーションオファーの回収の電子的な証拠を受信者が提出することを可能にするユーザーインターフェースを更に含むことを特徴とする、請求項３に記載のシステム。
【請求項６】
少なくとも１つの前記コンピューティングデバイスは、以下の工程：
広告プロファイルを作成し、送信者に関連させる工程；
送信者によって作成される少なくとも１つの宣伝用ターゲティングレコード、及び送信者に関連したソース通信識別子に等しい送信先識別子フィールドの値のセットを有する少なくとも１つの宣伝用ターゲティングレコードを含むデータセットを使用して、送信者に関連した広告プロファイルを個別化する工程；及び
送信者に関連する個別化した広告プロファイルを広告内容に関連させる工程
を含む方法を行うためのアプリケーションソフトウェアを更に含むことを特徴とする、請求項１に記載のシステム。
【請求項７】
ウェブサイトは、送信者がウェブサイトにおいて活動を行う間に少なくとも一度、送信者に関連する個別化された広告プロファイルに関連する広告内容を表示するためのユーザーインターフェースを更に含むことを特徴とする、請求項６に記載のシステム。
【請求項８】
識別された少なくとも１つの宣伝用ターゲティングレコードに関連する宣伝用メッセージがデータベースから検索された回数を数えるためのアプリケーションソフトウェアモジュールを更に含む、請求項１に記載のシステム。
【請求項９】
ウェブベースの前記ユーザーインターフェースは、送信者が、少なくとも１つの前記宣伝用ターゲティングレコードを識別するための前記データベースを探索するために使用される、少なくとも１つの追加のロジック条件から前記ロジック条件のセットまでを含むことを可能にするように更に構成されることを特徴とする、請求項１に記載のシステム。
【請求項１０】
データベースは、前記ウェブサイトを維持する少なくとも１つのコンピューティングデバイスに通信的に繋がれることを特徴とする、請求項１に記載のシステム。
【請求項１１】
ソース通信識別子は、送信者により使用される通信デバイスを一意的に識別し、該ソース通信識別子は、受信者により使用される通信デバイスを一意的に識別し、通信データ受信リソースは、受信者により使用される通信デバイス内にあることを特徴とする、請求項１に記載のシステム。
【請求項１２】
識別された少なくとも１つの宣伝用ターゲティングレコードに関連する宣伝用メッセージは、テキストメッセージとして受信者により使用される通信デバイスに配信されることを特徴とする、請求項１１に記載のシステム。
【請求項１３】
送信者と受信者の間の通信伝達はテキストメッセージであることを特徴とする、請求項１１に記載のシステム。
【請求項１４】
配信された宣伝用テキストメッセージは、ソース通信識別子を含むことを特徴とする、請求項１２に記載のシステム。
【請求項１５】
ソース通信識別子に関連した送信者から、独特な通信データ受信リソースを識別する送信先通信識別子に関連した受信者への、通信ネットワーク上での宣伝用メッセージの配信のための方法であって、該方法は：
通信ネットワークを介してアクセス可能なウェブサイト上の複数の宣伝用メッセージへのアクセスを提供する工程であって、前記ウェブサイトは、送信者が１セットの宣伝用ターゲティングレコードを作成、閲覧、及び変更することを可能にするウェブベースのユーザーインターフェースを含み、各宣伝用ターゲティングレコードは、ソース通信識別子に等しい値のセットを有するソース識別子フィールド、ターゲットの送信先通信識別子に等しい値のセットを有する送信先識別子フィールド、及び複数の宣伝用メッセージからの宣伝用メッセージを含む、工程；
記憶装置リソースを提供し、且つ、提供された記憶装置リソースにおいて、送信者によって作成された宣伝用ターゲティングレコードのセットに現在存在する宣伝用ターゲティングレコードを保存する工程；
送信者と受信者の間の通信伝達を遮断する工程；
送信者に関連したソース通信識別子、及び受信者に関連した送信先通信識別子を獲得する工程；
ロジック条件のセットを満たす、少なくとも１つの宣伝用ターゲティングレコードを識別するための記憶装置リソースを探索する工程であって、前記ロジック条件のセットは、以下のロジック条件：
識別された少なくとも１つの宣伝用ターゲティングレコードにおけるソース識別子フィールドの値が、得られたソース通信識別子に等しい、及び
識別された少なくとも１つの宣伝用ターゲティングレコードにおける送信先識別子フィールドの値が、得られた送信先通信識別子に等しい
を含む、工程；
遮断した通信伝達を、得られた送信先通信識別子によって識別される通信データ受信リソースに配信する工程；及び
記憶装置リソースから検索し、前記ロジック条件のセットを満たす少なくとも１つの宣伝用ターゲティングレコードを識別した後に、識別された少なくとも１つの宣伝用ターゲティングレコードに関連する宣伝用メッセージを、得られた送信先通信識別子により識別される通信データ受信リソースに配信する工程
を含む、方法。
【請求項１６】
配信された宣伝用メッセージは、送信者に配信される紹介報酬要素を更に含むことを特徴とする、請求項１５に記載の方法。
【請求項１７】
配信された宣伝用メッセージは、受信者が配信された宣伝用メッセージに含まれるプロモーションオファーの回収の証拠を提供した後に受信者に配信されるリベート報酬要素を含むプロモーションオファーを更に含むことを特徴とする、請求項１６に記載の方法。
【請求項１８】
紹介報酬要素を送信者に配信する工程は、受信者が配信された宣伝用メッセージに含まれるプロモーションオファーの回収の証拠を提供した後に付随することを特徴とする、請求項１７に記載の方法。
【請求項１９】
広告プロファイルを作成し、送信者に関連させる工程；
送信者によって作成される少なくとも１つの宣伝用ターゲティングレコード、及び送信者に関連したソース通信識別子に等しい送信先識別子フィールドの値のセットを有する少なくとも１つの宣伝用ターゲティングレコードを含むデータセットを使用して、送信者に関連した広告プロファイルを個別化する工程；
送信者に関連する個別化した広告プロファイルを広告内容に関連させる工程；及び
送信者がウェブサイトにおいて活動を行う間に少なくとも一度、送信者に関連する個別化された広告プロファイルに関連する広告内容を表示する工程
を更に含む、請求項１５に記載の方法。
【請求項２０】
識別された少なくとも１つの宣伝用ターゲティングレコードに関連する宣伝用メッセージが記憶装置リソースから検索された回数を数える工程を更に含む、請求項１５に記載の方法。
【請求項２１】
ソース通信識別子は、送信者により使用される通信デバイスを一意的に識別し、該ソース通信識別子は、受信者により使用される通信デバイスを一意的に識別し、通信データ保存リソースは、受信者により使用される通信デバイス内にあることを特徴とする、請求項１５に記載の方法。
【請求項２２】
識別された少なくとも１つの宣伝用ターゲティングレコードに関連する宣伝用メッセージは、テキストメッセージとして受信者により使用される通信デバイスに配信されることを特徴とする、請求項２１に記載の方法。
【請求項２３】
送信者と受信者の間の通信伝達はテキストメッセージであることを特徴とする、請求項２１に記載の方法。
【請求項２４】
配信された宣伝用テキストメッセージは、ソース通信識別子を含むことを特徴とする、請求項２２に記載の方法。
【発明の詳細な説明】
【技術分野】
【０００１】
関連出願への相互参照
本出願は、２０１２年１月２６日出願の米国仮特許出願第６１／６３２，５８０号「Ｍｅｔｈｏｄ  ａｎｄ  Ｓｙｓｔｅｍ  ｆｏｒ  Ｃｏｎｓｕｍｅｒ−ｂａｓｅｄ  Ｓｔｏｒｉｎｇ，  Ｒｅｔｒｉｅｖｉｎｇ，  ａｎｄ  Ｔｒａｎｓｍｉｔｔｉｎｇ  ｏｆ  Ｐｒｏｍｏｔｉｏｎａｌ  Ｃｏｎｔｅｎｔ  ｔｏ  Ｏｔｈｅｒ  Ｃｏｎｓｕｍｅｒｓ」、及び、２０１２年５月２１日出願の米国仮特許出願第６１／６８８，７８０号「Ｍｅｔｈｏｄｓ  ｆｏｒ  Ｍｏｎｅｔｉｚｉｎｇ  Ｃｏｎｓｕｍｅｒ−ｂａｓｅｄ  Ｓｙｓｔｅｍ  ｏｆ  Ｓｔｏｒｉｎｇ，  Ｒｅｔｒｉｅｖｉｎｇ，  ａｎｄ  Ｔｒａｎｓｍｉｔｔｉｎｇ  ｏｆ  Ｐｒｏｍｏｔｉｏｎａｌ  Ｃｏｎｔｅｎｔ  ｔｏ  Ｏｔｈｅｒ  Ｃｏｎｓｕｍｅｒｓ」の優先権を主張するものであり；両特許出願は、その全体において引用により本明細書に組み込まれる。
【０００２】
技術分野
移動通信デバイス間のピア・ツー・ピア広告。
【背景技術】
【０００３】
本明細書に開示されるシステム及び方法は、非常に精巧な双方向通信システムの重度の使用、より具体的には携帯電話の連続的に増加する使用によって促進される、ピア・ツー・ピア広告の分野に関係する。
【０００４】
携帯メールの使用が過去５−１０年にわたり急上昇したことが、徐々に明白となりつつあり、携帯メールは、携帯電話ユーザー間の、最も頻繁に使用される通信手段となっている。このことは、個別化された広告を配信するために携帯メールの周波数及び通信機構の両方を活用することが可能である、広告主にとって素晴らしい機会を提示し、且つ見込み客に提供する。
【０００５】
１つのセットの先行技術（Ｌｅｖｉ  ｅｔ  ａｌ：  ＵＳ２０１１０１１９１３１，ＵＳ７，６６４，５１６，ＵＳ２００７００１６９２１）は、関与する広告主と協力して、ピア・ツー・ピア通信交換のソースにより仲介ウェブサイトを介して選択された広告メッセージを、通信交換の送信先に配信するための、第１のシステム及び方法を開示する。
【０００６】
受信した広告が「信頼された」ソースから来るため、そのシステムは、受信した広告をより閲覧しやすくするために、送信者と受信者の間に存在する関係を活用する。結果的に、これは、広告の受信者による、広告の中で注目される商品又はサービスの購入の可能性を増加させる。
【０００７】
そのシステムの主な制限は、送信者が通信する各特定の送信先の特定の興味、必要性、好み、及び嫌悪について送信者が有する独特な知識に基づき、明確な送信先へ明確な広告及びプロモーションオファーを導くための正確なターゲティング機構を、前記システムが欠いているということである。このことは、選択された広告／プロモーションオファーが送信先Ｘにはぴったりと一致し得る一方で、送信先Ｙには一致し得ないため、広告及びプロモーションオファーの非効率的な配布を結果としてもたらす。
【０００８】
そのシステムの第２の制限は、送信デバイス及び受信デバイスの両方が、通信交換中、その前、又はその後に広告をダウンロードして与えられた送信先に送信することができる洗練されたポイント・ツー・ポイントのアプリケーションエージェントを動かすための、オペレーティングシステム、メモリー、及び処理能力を備えているということを、前記システムが必要とするということである。このことはスマートフォン又はタブレットには該当し得る一方で、下端末携帯電話（ｌｏｗｅｒ  ｅｎｄ  ｍｏｂｉｌｅ  ｐｈｏｎｅｓ）が携帯電話を掛ける／受ける、及びテキストメッセージを送信／受信することしかできないということは、真実ではない。その結果、先行技術のシステムのスケーラビリティは本質的に、未だに下端末携帯電話を使用する人口のかなりの割合により、制限される。
【０００９】
そのシステムの別の障害は、インターネットによってアクセス可能な外部サーバーからの、電話に対する広告内容のダウンロードに、前記システムが依存することである。金融取引及びモバイルバンキングを行うための使用の継続的な増加により、携帯電話がウィルスやハッキングによる攻撃にますます感染しやすくなりつつあるため、インターネットからの広告内容の頻繁なダウンロードは、携帯電話に保存されるデータのセキュリティを危険にさらす、悪意のあるソフトウェアに感染しながら携帯電話がダウンロードを行う可能性を増加させてしまう。
【００１０】
別のセットの先行技術（Ｆｒａｓｅｒ，  Ｊｅｆｆｒｅｙ  Ｂ．  ｅｔ  ａｌ．：  ＵＳ２０１１０２７５３４６）は、ピア・ツー・ピア通信を遮断し、その後、予め定義した条件に基づいて通信相手の一方又は両方に広告又は宣伝用のメッセージを送信する、第２のシステムを開示する。
【００１１】
第２のシステムの制限は、通信相手が、送信及び受信されている広告又は宣伝の内容の性質に関する任意の入力データを有していないために、前記システムは個別化の要素を欠き、それ故、配信された広告及びプロモーションオファーがあまり閲覧されず且つ実行されなくなるということである。
【００１２】
それ故、必要なものは、受信者の購入の興味及び習慣について送信者が有する知識を直接活用する、送信者ベースのピア・ツー・ピア宣伝用ターゲティングシステムであり、故に、上記の制限及び不便の全てを克服し、個別化の程度、及び、プロモーションオファーを配信するための伝達手段としてピア・ツー・ピア通信を使用する効果を、著しく改善する。
【発明の概要】
【００１３】
本開示は、ソース通信識別子に関連した送信者から、独特な通信データ保存リソースを識別する送信先通信識別子に関連した受信者に通信ネットワーク上で送信される、宣伝用メッセージのターゲット化された配信のためのシステムを提供する。
【００１４】
宣伝用メッセージ配信のターゲティングは、少なくとも１つのコンピューティングデバイスによってホストされた（ｈｏｓｔｅｄ）ウェブサイトを通じて送信者によって行われる。ウェブサイトは、複数の宣伝用メッセージへのアクセスを提供し、且つ、送信者が１セットの宣伝用ターゲティングレコードを作成することを可能にするウェブベースのユーザーインターフェースを含み、ここで、各宣伝用ターゲティングレコードは、ソース通信識別子に等しいソース識別子フィールドセット、ターゲットの送信先通信識別子に等しい送信先識別子フィールドセット、及び複数の宣伝用メッセージから選択される宣伝用メッセージを含む。
【００１５】
システムは、ウェブサイトを通じて送信者によって作成された、宣伝用ターゲティングレコードを保存するデータベースをさらに含む。
【００１６】
更に、システムは、送信者と受信者の間の通信伝達の開始後に、以下の工程を行なうためのアプリケーションソフトウェアを含む：
送信者に関連したソース通信識別子、及び受信者に関連した送信先通信識別子を獲得して、以下のロジック条件：識別された少なくとも１つの宣伝用ターゲティングレコードにおけるソース識別子フィールドの値が、得られたソース通信識別子に等しい、及び、識別された少なくとも１つの宣伝用ターゲティングレコードにおける送信先識別子フィールドの値が、得られた送信先通信識別子に等しい、を満たす少なくとも１つの宣伝用ターゲティングレコードを識別するためのデータベースを探索する工程；
上記のロジック条件を満たす少なくとも１つの宣伝用ターゲティングレコードを識別した後に、データベースから検索し、送信先通信識別子により識別される通信データ保存リソースに、識別される少なくとも１つの宣伝用ターゲティングレコードに関連する宣伝用メッセージを配信する工程。
【図面の簡単な説明】
【００１７】
本明細書に開示されたシステム及び方法は、添付図面を参照することで以下により詳しく記載されている：
【図１】開示されたシステム及び方法の実施形態に従って、宣伝用メッセージターゲティングシステムの構成要素を例証する、ブロックダイアグラムである。
【図２】開示されたシステム及び方法の実施形態に従って、送信者から受信者への、エンド・ツー・エンドの宣伝用メッセージターゲティング配信システムを例証する、ブロックダイアグラムである。及び
【図３】開示されたシステム及び方法の実施形態に従って、宣伝用メッセージ報酬配信プロセスを例証する、プロセスフローダイアグラムである。
【００１８】
以下の考察のために、文字は、同じ要素又は構成要素の異なる例を識別するために、図において特定の数字を伴っている。
【発明を実施するための形態】
【００１９】
本出願は、２０１２年１月２６日出願の米国仮特許出願第６１／６３２，５８０号及び２０１２年５月２１日出願の米国仮特許出願第６１／６８８，７８０号の利益を請求するものであり、各出願の全体の開示は、引用により本明細書に組み込まれる。
【００２０】
本開示は、ソース通信識別子に関連する送信者と、送信先通信識別子に関連する受信者の間の、宣伝用メッセージのターゲティング配信を提供する。開示されたシステム及び方法の以下の考察において、多くの頭文字及び略語が使用され、引用の便宜上、本明細書に記載される。
【００２１】
ＷＵＩ：ウェブベースのユーザーインターフェースは、インプットを受け、且つ、インターネットを介して送信され、ウェブブラウザプログラムを使用してユーザーに確認されるウェブページの作成によりアウトプットを提供する、ユーザーインターフェースの一種である。
【００２２】
ＳＭＳ：ショートメッセージサービスは、移動通信デバイス上で頻繁に使用される携帯メールの形態である。
【００２３】
ＳＭＳＣ：ショートメッセージサービスセンターは、ＳＭＳメッセージを処理する移動通信ネットワークにおけるネットワーク要素である。
【００２４】
Ｐ２Ｐ：ピア・ツー・ピア・ネットワーキングは、ネットワークにおける多くのピアの中で作業量を分配することができる分散型アーキテクチャに基づく。
【００２５】
ＳＳ７：信号システム＃７は、ＰＳＴＮネットワークが電話のセットアップ及び制御を実施するための信号プロトコルである。
【００２６】
図１は、開示されたシステム及び方法の実施形態に従って、宣伝用メッセージターゲティングシステムの構成要素を例証する、ブロックダイアグラムである。より具体的に、図１は、少なくとも１つのコンピューティングデバイスにより維持される宣伝用ターゲティングウェブサイト（１２０）を示し、ここで、少なくとも１つのコンピューティングデバイスは、サーバー、パーソナルコンピューター、マイクロプロセッサーなどでもよい。開示されたシステムの本実施形態において、少なくとも１つのコンピューティングデバイスはコンピューターサーバー（１６０）である。
【００２７】
宣伝用ターゲティングウェブサイト（１２０）は、予期される加入者（１０６）がログインアカウントを作成し、その後ログインして、広告主及び宣伝事業者（ｅｎｔｉｔｉｅｓ）（１０４）（即ち、Ａｍａｚｏｎ．ｃｏｍ、Ｇｒｏｕｐｏｎ．ｃｏｍ）等のグループから作成され且つアップロードされた１セットの宣伝用メッセージ（１１０）を閲覧することを可能にする。各加入者によって作成されたログインアカウントは一意的に、加入者（１０６）の携帯電話の番号に関係し得る。
【００２８】
宣伝用ターゲティングウェブサイト（１２０）の加入者のコミュニティーにアクセス可能とされるべき宣伝用メッセージ（１１０）のセットは、広告主及び宣伝事業者（１０４）のコミュニティーによってアクセス可能なウェブベースのユーザーインターフェース（１１２）を介してウェブサイト（１２０）を維持するサーバー（１６０）にアップロードされる。
【００２９】
図１を引き続き参照すると、宣伝用メッセージ（１５６）は以下の要素を含む：
ａ）プロモーションコード：宣伝用メッセージを一意的に識別する英数字コード。
ｂ）宣伝事業者：宣伝用メッセージを出している宣伝事業者の名称。幾つかの場合には、宣伝用メッセージを出す事業者が、宣伝用メッセージの中で注目される、商品を作成する、又はサービスを提供する本来の企業とは異なる場合がある。このことは、オンライン上の購入者と企業の間の仲介業者として務める、Ａｍａｚｏｎ．ｃｏｍ（又はＧｒｏｕｐｏｎ．ｃｏｍ）などのインターネット小売業者企業の場合における。
ｃ）商号：宣伝用メッセージにおいて注目される、商品を作成する、又はサービスを提供する、企業の名称。
ｄ）注目された商品又はサービス：注目された「サービス」は、付近のレストランでの夕食、宣伝されている映画のチケット、付近のジムの会員、地方のガソリンスタンドでのオイル交換、地域の法律事務所からの法的なアドバイス、自動車保険会社、投資証券会社など、複数の物事の任意の１つでもよい。
ｅ）プロモーションオファー：購入者が、宣伝用メッセージに関連した商品又はサービスの購入によりプロモーションオファーを回収する時に購入者が得るであろう値引きなどの、商品又はサービスに関係するプロモーションオファー。値引きは、クーポン構成要素及びリベート構成要素を包含するように構築され得る。値引きのクーポン構成要素は、必要とされる任意の追加の行為無しに販売時点で購入者に直ちに集められ得、一方、値引きのリベート構成要素は、回収されたプロモーションオファーに関連する宣伝事業者に購入証明書（ＰｏＰ）を提出するよう購入者に要求するであろう。
ｆ）紹介報酬：購入者への回収された宣伝用メッセージの「ターゲティング」を行った加入者に配信される紹介報酬（即ち、提示された送信者の報酬ポイント）。紹介報酬はまた、「即時の」構成要素及び「リベート」構成要素に分けられる場合があり、ここで、即時の構成要素は、受信者への宣伝用メッセージの伝達後に送信者に直ちに配信され、リベート構成要素は、プロモーションオファー（即ち、ＰｏＰ）の回収の証拠を提供する購入者に左右されて配信される。
【００３０】
加えて、宣伝用メッセージは、商品の画像又はプロモーションオファーに関連した更なる制限など、プロモーションオファーの追加情報を含むウェブページへと受信者を導くウェブリンクを含み得る。
【００３１】
宣伝用ターゲティングウェブサイト（１２０）は、ウェブベースのユーザーインターフェース（１８０）（ＷＵＩ）を含み、該ウェブベースのユーザーインターフェースは、各加入者が、紹介報酬のサイズ及び構造、プロモーションオファーのサイズ及び構造、商品又はサービスのカテゴリー（即ち、映画、電子機器、香水など）、及びブランド／商号などの、様々な探索基準を使用して、宣伝用メッセージを探索することを可能にする。更に、宣伝用ターゲティングウェブサイト（１２０）は、各加入者が宣伝用ターゲティングレコードを作成することを可能にするＷＵＩ（１８０）を含む。
【００３２】
宣伝用ターゲティングレコード（１３８）は、以下の要素を含むデータ構造である：
ａ）その値が加入者の携帯電話番号に設定されるソース識別子フィールド、
ｂ）宣伝用ターゲティングレコードに関連する、選択された宣伝用メッセージ、及び、
ｃ）加入者が送信先の携帯電話に関連するユーザーにＳＭＳメッセージを送る時に、選択された宣伝用メッセージが転送される送信先の携帯電話番号に値が設定される、送信先識別子フィールド。プロモーションオファーを受け取る人の消費者性向について加入者／送信者が有する独特な知識のため、この要素は転送された宣伝用メッセージの個別化を最大限にし、結果的に、転送されたプロモーションオファーが回収される可能性を最大限にする。
【００３３】
加入者（１０６）によって作成される、本宣伝用ターゲティングレコードの全体は、加入者の推奨（ｅｎｄｏｒｓｅｍｅｎｔ）ポートフォリオ（１２６）を構築する。宣伝用ターゲティングウェブサイトのＷＵＩ（１８０）は、個人投資家の株と債券のポートフォリオを表示するため、様々な投資ウェブサイトによって使用される、ウェブベースのユーザーインターフェースに類似する表形式フォーマットで各加入者の推奨ポートフォリオ（１２６）を表示することができる。
【００３４】
加えて、宣伝用ターゲティングウェブサイトのＷＵＩ（１８０）は、投資者が株券ポートフォリオから株式表示記号を加え且つ取り除くことを可能にする様々な投資ウェブサイトによって使用されるＷＵＩに類似する推奨ポートフォリオ（１２６）から、宣伝用ターゲティングレコードを追加及び／又は削除することにより、加入者（１０６）が自身の推奨ポートフォリオ（１２６）を修正することを可能にする。
【００３５】
宣伝用ターゲティングウェブサイト（１２０）を維持するサーバー（１６０）は、特定の加入者が、加入者の推奨ポートフォリオ（１２６）に行われる変化を保存することが可能となる前に、宣伝用ターゲティングウェブサイト（１２０）上に広告内容（１６４）を表示し得るアプリケーションソフトウェアを実行する。表示される広告内容（１６４）は、加入者（１０６）に一意的に関係する個別化された広告プロファイル（１６６）に基づいて選択され得、ここで、個別化された広告プロファイル（１６６）は、次の組み合わされたセット（１７０）を考慮することにより構築され得る：
ａ）特定の加入者が、自身の友人へのターゲット化された宣伝用メッセージの配信のために作成した宣伝用ターゲティングレコード（即ち、推奨ポートフォリオ（１２６））、及び
ｂ）特定の加入者（１０６）が、自身と頻繁に連絡を取る友人により「ターゲット」として指定された、宣伝用ターゲティングレコード。
【００３６】
宣伝用ターゲティングレコードのデータベース（１２８）のコンテンツが、各加入者の推奨ポートフォリオ（１２６）の最新版と同時に保たれるように、宣伝用ターゲティングウェブサイト（１２０）の各加入者によって作成された推奨ポートフォリオ（１２６）は、宣伝用ターゲティングウェブサイト（１２０）を維持するサーバー（１６０）に通信的に繋がれ（１２４）、宣伝用ターゲティングレコードのデータベース（１２８）に保存されている。
【００３７】
データベースに保存される宣伝用ターゲティングレコードは、ＳＭＳ通信に含まれるソース及び送信先の携帯電話番号を含むクエリーによって、探索可能且つ検索可能である。同じターゲットの送信先の携帯電話番号に関連する、多数の宣伝用ターゲティングレコードが存在する場合、それらのレコードを作成する加入者は、宣伝用ターゲティングレコードが検索されるべきオーダーを決定するための規則を特定することができる。例えば、各宣伝用ターゲティングレコードが連続するオーダーで正確に一度検索されるように、回収オーダーはラウンドロビンでもよい。代替的に、特定のレコードが、加入者の推奨ポートフォリオにおける同じターゲットの送信先識別子を伴う他の宣伝用ターゲティングレコードに関する、指定された割合で検索されるように、加入者は、各宣伝用ターゲティングレコードに検索「重量」指定を割り当てることができる。更に、宣伝用ターゲティングレコード検索の規則は、データベースが求められている時間などの他の要因に基づき得る。
【００３８】
図２は、開示されたシステム及び方法の実施形態に従って、ソース通信識別子（１１０）に関連する送信者（１００）から、送信先通信識別子（１５２）に関連する受信者（１５０）への、エンド・ツー・エンドの宣伝用メッセージターゲティング配信システムを例証する、ブロックダイアグラムである。
【００３９】
ここで図２を参照すると、宣伝用ターゲティングウェブサイト（１２０）の加入者−１（１０６）でもある送信者（１００）は、ＳＭＳメッセージ（１３０）を作成し、意図した受信者（１５０）に送信する。続いて、ＳＭＳメッセージ（１３０）はＳＭＳＣ（１０８）を通り抜け、ここで、ＳＳ７シグナルリンク（１１８）を介してＳＭＳＣ（１０８）と相互に作用するＰ２Ｐ遮断エージェント（１５４）は、ＳＭＳメッセージ（１３０）を遮断し、遮断されたＳＭＳ通信に関与するソースと送信先の携帯電話番号（１２２）のセット（１３２）を得る。
【００４０】
続いて、遮断されたＳＭＳの得られたソース及び送信先の携帯電話番号（１２２）を含むデータベースクエリー（１３４）がその後、構築され、以下のロジック条件を満たす宣伝用ターゲティングレコードを識別するためにデータベース（１２８ａ）を探索する（１３６）ために使用される：
ａ）識別された宣伝用ターゲティングレコードにおけるソース識別子フィールドの値は、得られたソースの携帯電話番号に等しい、及び
ｂ）識別された宣伝用ターゲティングレコードにおける送信先識別子フィールドの値は、得られた送信先の携帯電話番号に等しい。
【００４１】
上記の条件（１３８ｂ）を満たす、宣伝用ターゲティングレコードが識別される場合、識別された宣伝用ターゲティングレコード（１３８ｂ）に関連する宣伝用メッセージ（１５６ａ）は、データベース（１２８ａ）から検索され（１４６）、受信者（１５０）により使用される送信先の携帯電話（１５２）にそれを配信する（１４０）、Ｐ２Ｐ遮断エージェント（１５４）に配信される。Ｐ２Ｐ遮断エージェント（１５４）は、ＳＭＳメッセージ（１３０）と共に、検索された宣伝用メッセージ（１５６ｂ）を一括するように構成され得、前記ＳＭＳメッセージは、宣伝用メッセージ検索を引き起こし、共に一括された両方のメッセージを配信し、又は、前記Ｐ２Ｐ遮断エージェントは、別個のＳＭＳメッセージとして検索された宣伝用メッセージ（１５６ｂ）を配信するように構成され得る；後者の場合（即ち、別個の配信）において、Ｐ２Ｐ遮断エージェント（１５４）は、受信者（１５０）が、送信者が誰であったか後で識別することができるように、配信された宣伝用メッセージ（１５６ｂ）を運ぶ別個のＳＭＳメッセージに、送信者の携帯電話番号を挿入するであろう。
【００４２】
送信者の携帯電話番号と一緒になった、検索された宣伝用メッセージ（１５６ａ）はまた、次のものなど（限定されないが）であるデータベース（１２８ａ）から検索された各宣伝用メッセージ上で様々な統計を保つ、宣伝用メッセージ検索統計ユニット（１４４）に転送されている：
１）全ての送信者のため、送信用に検索された時間の総数、
２）受信された異なる送信者の総数、
３）転送された異なる送信者の総数、
４）各個別の送信者のため、送信のために検索された時間の総数、
５）各個別の受信者のため、受信された異なる受信者の総数。
【００４３】
その後、統計（４）及び（５）は、各個別の送信者に配信される名目上の「送信」報酬を計算するため、各宣伝用メッセージを作成した宣伝事業者によって使用され得る。
【００４４】
集めた宣伝用メッセージ検索の統計（１４４）は、以下の目的のために、ネットワークが送信者（１００）から受信者（１５０）への通信送信を促進するために使用されているモバイルネットワークのオペレータによって使用され得る：
ａ）ウェブページ上に掲示される広告及びプロモーションオファーに関連した「クリックレート」に類似する、各宣伝用メッセージに関連した検索量（１４４）に比例する方式で宣伝用メッセージを作成する、広告主及び宣伝事業者（１０４）のグループに課金するため。
ｂ）販売促進キャンペーンの効果に関する宣伝用メッセージ（１１０）のセットを作成する、宣伝事業者（１０４）へ通知するため。
【００４５】
図２は、例として意図されるものであり、本開示の異なる実施形態についての構成上の制限としては意図されない。例えば、送信者と受信者の間の通信伝達は、音声電話、テレビ会議電話、又はＥメール伝達でもよく、ここで、電子メールの場合、ソース及び送信先通信識別子は、リモートコンピューター電子メールサーバ上に存在する記憶装置リソースに関連したＥメールアドレスを参照する。
【００４６】
図３は、回収されたプロモーションオファーに関連した紹介及びリベートの報酬が、どのようにして送信者（１００）及び受信者（１５０）（今後、「購入者」と称する）にそれぞれ配信されるかのプロセスを示す、プロセスフローダイアグラムである。
【００４７】
ここで図３を参照すると、報酬配信プロセスは、購入が実際に行われたことを証明（即ち、購入の証明）する受領書（２００）を集める、回収されたプロモーションオファーに注目される商品又はサービスの購入者から始まる。本開示において、宣伝用ターゲティングウェブサイト（１２０）のＷＵＩ（１８０）は、購入者（１５０）がウェブサイト（１２０）を介してＰｏＰを電子的に提出することを可能にする。この特徴を使用するために、購入者は、受領書を許容可能なデジタル形式に最初に変換する必要があり（２０１）、その結果、購入者は、宣伝用ターゲティングウェブサイトのＷＵＩ（１８０）を使用して、ウェブサイト（１２０）を維持するサーバー（１６０）にアップロードすることができる。
【００４８】
受領書の許容可能なデジタル形式は、以下のもの（限定されないが）の１つでもよい：
ａ）小売り業者から、購入者の選択されたＥメールアカウントに送信される、Ｅ−受領書（即ち、デジタル領収書）。Ｍａｃｙ’ｓは、Ｅ−受領書機能を実施し始めた主な小売り業者の一例である。このことは、受領書を「デジタル化する」最も容易な方法であり、なぜならば、小売り業者によって既に行われ、購入者は、自身のＥメールレコードから検索する以外に他に何もする必要はないためである。
ｂ）受領書のスキャンされたＰＤＦ（ポータブル文書フォーマット）画像。異なるサイズ及び形式の受領書をスキャンし、且つ、ユーザーが実際の紙の受領書を失くす心配無く、受領書を異なるフォルダに電子的に容易にまとめることを可能にすることできる市場において、多くの受領書受取スキャニング装置が存在する。
【００４９】
一旦受領書がデジタル形式に変換されると、購入者（１５０）は、宣伝用ターゲティングウェブサイト（１２０）によって維持される自身のアカウントにログインし（２０２）、ウェブサイトのＷＵＩ（１８０）を使用して、新しい電子的な（ウェブベースの）リベートフォームを開く／作成する（２０４）ように進める。
【００５０】
その後、購入者が電子／ウェブベースのリベート形式に記入する前に、ウェブサイト（１２０）は広告内容を表示し得る（２０６）。表示された広告内容は、購入者の以前のプロモーションオファーの回収履歴を反映し、及び／又は、「ターゲット」として購入者を有する宣伝用ターゲティングレコード（即ち、購入者の通信識別子に等しい送信先識別子フィールドを有するレコード）と、購入者自身の宣伝用ターゲティングレコードのセットを組み合わせ得る。ターゲットとして特定のウェブサイトの加入者を持つ宣伝用ターゲティングレコードは、特定の加入者の友人が、加入者が購入する可能性があると考え得るものに関する有益な情報を提供することができる。
【００５１】
電子の／ウェブベースのリベートフォーム（２０８）は以下の要素を含む：
１．回収されたプロモーションオファーにおいて注目される商品又はサービスの購入証明書（ＰｏＰ）。ＰｏＰは、受領書のデジタル化を含む。更なる要素、購入された商品に関連するＵＰＣバーコードなどが、提出される必要があり得る。
２．回収されたプロモーションオファーにおいて商品を作成する又はサービスを提供するビジネスの名称。
３．宣伝用メッセージを出した宣伝事業者の名称。
４．宣伝用メッセージを識別する英数字コード、及び
５．回収されたプロモーションオファーのテキストメッセージ誘発化配信が、オファーにおいて注目される商品又はサービスの購入者に提供する、送信者の携帯電話番号。
【００５２】
宣伝用ターゲティングウェブサイト（１２０）を維持するサーバー（１６０）で動くアプリケーションソフトウェアは、回収された宣伝用メッセージを作成した宣伝事業者（この特定の例に関して、Ｇｒｏｕｐｏｎ．ｃｏｍ）に、完成した電子的なリベートフォームを送り（２１０）、その結果、宣伝事業者は、受信者／購入者（１５０）及び宣伝用メッセージ（１５６）の送信者（１００）に宣伝用メッセージ報酬を配信することができる。
【００５３】
報酬配信構造は、ウェブサイト管理者又は加入者のモバイルのネットワークサービスプロバイダーのいずれかによって、各ウェブサイト加入者の代わりに維持される報酬アカウント（ポイント、又はドル）を介して実施され得る。報酬アカウントは更に、異なる構造を伴う報酬を受け取ることを可能にするために、ドル報酬サブアカウント及びポイント報酬サブアカウントに分けられる。
【００５４】
一旦完成した電子リベート携帯（２０８）が適切な宣伝事業者により受信され、処理されると（２２２）、その後、宣伝事業者（この特定の例に関して、Ｇｒｏｕｐｏｎ．ｃｏｍ）は、以下のものを行う：
ａ）回収されたプロモーションオファーにおいて注目される商品（この例においてはスノーブロワー）又はサービスの購入者の報酬アカウント（２３８）に、リベート報酬（２３０）（図２に戻って参照すると、これは、配信した宣伝用メッセージ（１５６ｂ）の、プロモーションオファーの構成要素に含まれる、購入したスノーブロワーの最終販売額からの「２５％割引」である）を配信する、及び
ｂ）送信者の報酬アカウント（２３６）に、紹介報酬（２２８）（図１を参照すると、これは、宣伝用メッセージ（１５６）の「紹介報酬」（ポイント）の構成要素となり、それにおいてこの例は、６０の報酬ポイントである）を配信する。
【００５５】
上記の実施形態を念頭において、開示されたシステムが、コンピューターシステムに転送される又は保存されるデータに関する、様々なコンピューターにより実行される操作を利用することができることを、理解されたい。これら操作は、物理量の物理的な操作を必要とするものである。通常、必ずしも必要ではないが、これら量は、保存、転送、結合、比較、及びそのほかに操作され得る、電気、磁気、又は光学の信号の形態をとる。
【００５６】
開示されたシステム及び方法の一部を形成する、本明細書に記載される操作の何れかは、有用な機械操作である。開示されたシステム及び方法はまた、これらの操作を行なうためのデバイス又は装置に関連する。装置は、必要とされた目的のために特別に構築され得、又は前記装置は、コンピューターに保存されたコンピュータープログラムによって選択的に起動される又は構成される、汎用コンピューターでもよい。特に、以下に記載される、１以上のコンピューター読取り可能なメディアに繋がれる１以上のプロセッサーを使用する様々な汎用機械は、本明細書の教示に従って記載されるコンピュータープログラムと共に使用され得、又は、要求された操作を実行するためにより特別な装置を構築することが、より都合の良い場合がある。
【００５７】
開示されたシステム及び方法はまた、コンピューター読取り可能なメディア上でコンピューター読取り可能な信号として具体化され得る。コンピューター読取り可能なメディアは、データを保存することができる任意のデータ保存デバイスであり、それはその後、コンピューターシステムによって読み取られ得る。コンピューター読取り可能なメディアの例は、ハードドライブ、読み取り専用メモリー、ランダムアクセスメモリー、ＣＤ−ＲＯＭ、ＣＤ−Ｒ、ＣＤ−ＲＷ、磁気テープ、及び他の光学並びに非光学のデータ保存デバイスを含む。コンピューター読取り可能なメディアはまた、コンピューター読取り可能なコードが保存され、且つ分配された様式で実行されるように、ネットワークに繋がったコンピューターシステムにわたって分配され得る。
【００５８】
前述の記載は本開示の特定の実施形態に向けられてきたが、本開示の精神及び範囲から逸脱することなく、当業者が本明細書において様々な修正、置き換え、及び変更を行い得ることを、理解されたい。例えば、送信者と受信者の間の通信伝達は、音声電話、テレビ会議電話、又はＥメール伝達でもよく、そこでは、ソース及び送信先の通信識別子は、リモートコンピューターサーバー上に配置される又は存在する記憶装置のリソースに関連するＥメールアドレスを指す。
【００５９】
従って、全てのそのような修正、置き換え、及び変更は、特許請求の範囲において定義されるように本開示の範囲内に含まれることを意図される。特許請求の範囲において、ミーンズ・プラス・ファンクションの条項は、列挙された機能及び構造上同等なものだけでなく、等しい構造も実行するように、本明細書に記載される構造をカバーするように意図される。
【図１】
2015510184.tif 000003
【図２】
2015510184.tif 000004
【図３】
2015510184.tif 000005
【国際調査報告】
2015510184.tif 000006